(57)【要約】【課題】屈曲光学系を備え、収納時における外形をコンパクトにしたレンズ鏡筒を提供する。【解決手段】第１の光軸Ｉ１上に配置された光学素子を有する第１の光学素子群Ｌ１と、第１の光軸Ｉ１と異なった方向に延在する第２の光軸Ｉ２上に配置された光学素子を有する第２の光学素子群Ｌ３，Ｌ４と、第１の光学素子群Ｌ１と第２の光学素子群Ｌ３，Ｌ４との間に設けられ、像光を屈曲させる屈曲部Ｌ２とを備えるレンズ鏡筒を、第１の光学素子群Ｌ１の少なくとも一部は、屈曲部Ｌ２が第１の光軸Ｉ１から離間する方向に退避して形成される空間部内に収容される構成とする。【選択図】図１１
2007034013.tif 000002
【特許請求の範囲】
【請求項１】
第１の光軸上に配置された光学素子を有する第１の光学素子群と、
前記第１の光軸と異なった方向に延在する第２の光軸上に配置された光学素子を有する第２の光学素子群と、
前記第１の光学素子群と前記第２の光学素子群との間に設けられ、像光を屈曲させる屈曲部と
を備えるレンズ鏡筒において、
前記第１の光学素子群の少なくとも一部は、前記屈曲部が前記第１の光軸から離間する方向に退避して形成される空間部内に収容されること
を特徴とするレンズ鏡筒。
【請求項２】
請求項１に記載のレンズ鏡筒において、
前記屈曲部は、その少なくとも一部が、前記第２の光学素子群が撮影状態における位置よりも像側に移動して形成される空間部内に退避すること
を特徴とするレンズ鏡筒。
【請求項３】
請求項１又は請求項２に記載のレンズ鏡筒において、
前記第１の光学素子群は、前記屈曲部が前記第１の光軸に対して相対移動する際に、通常撮影時の移動範囲における前記屈曲部側の端部よりも対物側に退避すること
を特徴とするレンズ鏡筒。
【発明の詳細な説明】
【技術分野】
【０００１】
本発明は、光学系の中間部において光軸方向を転換する屈曲光学系を備えたレンズ鏡筒に関するものである。
【背景技術】
【０００２】
カメラのレンズ鏡筒は、撮像光学系としてその中間部に光軸方向を転換する屈曲部を備えた屈曲光学系を用いることによって、カメラの薄型化を図ったものが知られている。
例えば、撮影用レンズ鏡筒は、その光学系の中間部に屈曲部として反射ミラーを設けるとともに、その対物側、像側に配置されたレンズ群をそれぞれその光軸方向に駆動して焦点距離の変更（ズーミング）等を行うようにしたものが知られている（例えば、特許文献１）。
【０００３】
しかし、レンズ鏡筒は、屈曲部よりも対物側に設けられるレンズ群の構成によっては、これらが例えばカメラの筐体等から被写体側に突き出し、屈曲光学系を採用したにもかかわらず収納時のコンパクトさが損なわれる。これに対し、レンズ鏡筒は、例えば屈曲光学系以外の光学系においてよく行われるように、対物側のレンズ群を光軸方向像側に移動させて筐体内に収容するいわゆる沈胴式とすることが考えられるが、屈曲光学系の場合は、屈曲部が存在することから沈胴時の引込量を十分に確保することが困難である。
【特許文献１】特開平１１−２５８６７８号公報
【発明の開示】
【発明が解決しようとする課題】
【０００４】
本発明の課題は、屈曲光学系を備え、収納時における外形をコンパクトにしたレンズ鏡筒を提供することである。
【課題を解決するための手段】
【０００５】
本発明は、以下のような解決手段により、前記課題を解決する。
請求項１の発明は、第１の光軸上に配置された光学素子を有する第１の光学素子群と、前記第１の光軸と異なった方向に延在する第２の光軸上に配置された光学素子を有する第２の光学素子群と、前記第１の光学素子群と前記第２の光学素子群との間に設けられ、像光を屈曲させる屈曲部とを備えるレンズ鏡筒において、前記第１の光学素子群の少なくとも一部は、前記屈曲部が前記第１の光軸から離間する方向に退避して形成される空間部内に収容されることを特徴とするレンズ鏡筒である。
【０００６】
請求項２の発明は、請求項１に記載のレンズ鏡筒において、前記屈曲部は、その少なくとも一部が、前記第２の光学素子群が撮影状態における位置よりも像側に移動して形成される空間部内に収容されることを特徴とするレンズ鏡筒である。
請求項３の発明は、請求項１又は請求項２に記載のレンズ鏡筒において、前記第１の光学素子群は、前記屈曲部が前記第１の光軸に対して相対移動する際に、通常撮影時の移動範囲における前記屈曲部側の端部よりも対物側に退避することを特徴とするレンズ鏡筒である。
【発明の効果】
【０００７】
本発明によれば、以下の効果を得ることができる。
（１）第１の光学素子群は、屈曲部を第１の光軸と離間する方向に退避させて形成される空間部内に収容されるから、第１の光学素子群の移動量を大きくすることができ、レンズ鏡筒をコンパクトに収納することができる。
（２）屈曲部は、第２の光学素子群が像側に移動して形成される空間部内に退避するから、屈曲部の退避のために専用のスペースを確保する必要がなく、レンズ鏡筒をよりコンパクトに収納することができる。
（３）第1の光学素子群は、屈曲部が移動する際に対物側に退避するから、第１の光学部材と連動して移動する遮光部材等と屈曲部との干渉を防止することができる。
【発明を実施するための最良の形態】
【０００８】
本発明は、屈曲光学系を備え、収納時における外形をコンパクトにしたレンズ鏡筒を提供するという目的を、プリズムをその射出側の光軸方向に退避させて形成された空間部に、プリズムよりも対物側のレンズ群を収容することによって実現した。
【実施例】
【０００９】
以下、本発明を適用したレンズ鏡筒の実施例について説明する。
図１は、レンズ鏡筒の焦点距離が最も長くなるテレ端における撮影状態を示す断面図である。図２は、図１のII−II部矢視図である。図３は、図１のIII−III部矢視断面図である。図４は、図２のIV−IV部矢視断面図である。図５は、図２のV−V部矢視断面図である。
【００１０】
レンズ鏡筒は、鏡胴部１００の内部にレンズ、プリズム等の複数の光学素子を含む撮影用光学系を収容したものである。
撮影用光学系は、対物側から順に、第１レンズ群Ｌ１、第２レンズ群Ｌ２、第３レンズ群Ｌ３、第４レンズ群Ｌ４、撮像部５０を備えている。
また、鏡胴部１００は、固定筒１１０、第１カム筒１２０、直進ガイド筒１３０、第２カム筒１４０、駆動部１５０を備えている。
なお、本明細書において、「レンズ群」とは、共通のレンズ室に固定され一体的に移動するレンズ、プリズム等の光学素子の集合体（光学素子群）をいい、複数の光学素子を有するものに限らず、例えばレンズ単体も含むものとする。
【００１１】
第１レンズ群Ｌ１は、この撮影用光学系の対物レンズ群であって、その光軸Ｉ１方向に移動することによって撮影用光学系の焦点距離を変化させるズーミング用レンズ群である。
第１レンズ群Ｌ１は、第１レンズ群室１０を備えている。第１レンズ群室１０は、その内径側に第１レンズ群Ｌ１が収容される円筒状の部材であって、後述する第１カム筒１２０によって光軸Ｉ１方向に移動可能に支持されている。
また、第１レンズ群室１０は、その外周面部に、第１カム筒１２０のカム溝１２１に挿入されるカムフォロワピン１０ａを備えている。
【００１２】
第２レンズ群Ｌ２は、プリズムＰ、レンズＬ２１，Ｌ２２、第２レンズ群室２０を備えている。
プリズムＰは、その射出側の光軸Ｉ２の方向を、入射側の光軸Ｉ１に対して例えば９０度変換させる屈曲部である。
【００１３】
レンズＬ２１，Ｌ２２は、プリズムＰの入射側、射出側にそれぞれ配置されている。
第２レンズ群室２０は、プリズムＰ、レンズＬ２１，Ｌ２２が収容され、固定される部材であって、鏡胴部１００に対して、光軸Ｉ２方向に移動可能に支持されている。
ガイド軸２１，２２は、それぞれ光軸Ｉ２と平行に延在し、第２レンズ群室２０を光軸Ｉ２方向に直進案内する丸棒状の部材であって、図３に示すように、固定筒１１０に対して固定されている。ガイド軸２１，２２は、第３レンズ群Ｌ３、第４レンズ群Ｌ４等を、光軸Ｉ１、光軸Ｉ２とそれぞれ直交する方向に挟んで配置されている。
【００１４】
また、図５に示すように、ガイド軸２１は、第２レンズ群室２０に形成された開口２０ａに挿入されている。開口２０ａは、その内径がガイド軸２１の外径と略同じに形成されている。
一方、ガイド軸２２は、第２レンズ群室２０に形成された溝部２０ｂに挿入されている。この溝部２０ｂは、レンズＬ２２の径方向に延在する長孔状に形成され、第２レンズ群室２０のガイド軸２１回りの回転を防止するものである。
また、第２レンズ群室２０は、図３に示すように、第２カム筒１４０のカム溝１４１に挿入されるカムフォロワピン２０ｃを備えている。
【００１５】
第３レンズ群Ｌ３は、第２レンズ群Ｌ２の射出側における光軸Ｉ２上に配置され、光軸Ｉ２方向に移動することによって第１レンズ群Ｌ１と協働して撮影用光学系の焦点距離を変化させるズーミング用レンズ群である。
第３レンズ群Ｌ３は、第３レンズ群室３０を備えている。
第３レンズ群室３０は、第３レンズ群Ｌ３が収容され、固定される部材であって、鏡胴部１００に対して、光軸Ｉ２方向に移動可能に支持されている。
【００１６】
ガイド軸３１，３２は、それぞれ光軸Ｉ２と平行に延在し、第３レンズ群室３０を光軸Ｉ２方向に直進案内する丸棒状の部材であって、図１に示すように、固定筒１１０に対して固定されている。ガイド軸３１，３２は、第３レンズ群Ｌ３、第４レンズ群Ｌ４等を、光軸Ｉ１方向に挟んで配置され、ガイド軸３１が光軸Ｉ１方向像側、ガイド軸３２が光軸Ｉ１方向対物側にそれぞれ配置されている。
【００１７】
また、図５に示すように、ガイド軸３１は、第３レンズ群室３０に形成された開口３０ａに挿入されている。開口３０ａは、その内径がガイド軸３１の外径と略同じに形成されている。
一方、ガイド軸３２は、第３レンズ群室３０に形成された溝部３０ｂに挿入されている。この溝部３０ｂは、第３レンズ群Ｌ３の径方向に延在する長孔状に形成され、第３レンズ群室３０のガイド軸３１回りの回転を防止するものである。
また、第３レンズ群室３０は、図１に示すように、第２カム筒１４０のカム溝１４２に挿入されるカムフォロワピン３０ｃを備えている。
さらに、第３レンズ群Ｌ３は、その入射側にシャッタ部３３を備えている。
【００１８】
第４レンズ群Ｌ４は、第３レンズ群Ｌ３の射出側における光軸Ｉ２上に配置され、光軸Ｉ２方向に移動することによって、撮影用光学系の被写体距離を変化させるフォーカシング用レンズ群である。
第４レンズ群Ｌ４は、第４レンズ群室４０、フォーカシングモータ４１、スクリュ４２を備えている。
【００１９】
第４レンズ群室４０は、第４レンズ群Ｌ４が収容され、固定される部材であって、鏡胴部１００に対して、光軸Ｉ２方向に移動可能に支持されている。
第４レンズ群室４０は、図１に示すように、第３レンズ群室３０と共用されるガイド軸３１が挿入される開口４０ａが形成されている。開口４０は、その内径がガイド軸３１の外径と略同じに形成されている。第４レンズ群室４０は、開口４０ａの内周面がガイド軸３１の外周面と摺動することによって、光軸Ｉ２方向への平行移動を案内される。
【００２０】
フォーカシングモータ４１は、第４レンズ群室４０を駆動するアクチュエータであって、その回転軸を光軸Ｉ２に対して平行とした状態で鏡胴部１００の像側の端部から突き出して配置されている。
スクリュ４２は、フォーカシングモータ４１の出力軸に固定され、第４レンズ群室４０に形成された雌ネジ４０ｂに対してネジ結合される雄ネジを備え、その回転によって第４レンズ群室４０を光軸Ｉ２方向に送るものである。
【００２１】
撮像部５０は、第４レンズ群Ｌ４の射出側に設けられ、撮像素子５１、光学ローパスフィルタ（ＬＰＦ）５２を備えている。
撮像素子５１は、例えばＣＣＤやＣＭＯＳ等の光−電気変換素子を備え、その撮像面に結像された被写体像を電気的な信号に変換して出力するものである。
光学ＬＰＦ５２は、撮像素子５１の撮像面部をカバーして設けられ、モアレの発生等を防止するものである。
【００２２】
固定筒１１０は、鏡胴部１００のうち図示しないカメラボディに対して固定される部分であって、光軸Ｉ１と同心の略円筒状に形成され、その内径側に第１カム筒１２０が収容されるものである。
固定筒１１０は、光軸Ｉ１方向像側の端面を閉塞されるとともに、側壁には第２カム筒１４０が接続される開口部が形成されている。
図６は、固定筒１１０の内周面の展開図である。固定筒１１０は、雌ネジ１１１、直進案内溝１１２を備えている。
【００２３】
雌ネジ１１１は、第１カム筒１２０の雄ネジ１２０ａがネジ結合されるものであって、固定筒１１０に対する第１カム筒１２０の光軸Ｉ１回りにおける相対回転に応じて、第１カム筒１２０を光軸Ｉ１方向に送るものである。
雌ネジ１１１は、収納状態と撮影状態のワイド端との間で用いられる領域１１１ａと、撮影領域におけるワイド端とテレ端との間で用いられる領域１１１ｂとを備えた複合ネジとなっており、領域１１１ａは、領域１１１ｂに対して、第１カム筒１２０の回転角あたりの繰り出し量が大きくなるように、そのリード角が大きく形成されている。
直進案内溝１１２は、光軸Ｉ１方向に延在する直線状の溝部であって、直進ガイド筒１３０の外周面に形成されたキー１３０ａが挿入され、これを光軸Ｉ１方向に直進案内するものである。
【００２４】
第１カム筒１２０は、固定筒１１０の内径側に挿入されるとともに、その内径側に第１レンズ群室１０を収容するものである。第１カム筒１２０は、その固定筒１１０に対する光軸Ｉ１回りの相対回転に応じて、それ自体が固定筒１１０に対して光軸Ｉ１方向に相対移動するとともに、第１レンズ群室１０を第１カム筒１２０に対して光軸Ｉ１方向に相対移動させるものである。
【００２５】
図７は、第１カム筒１２０の内周面を示す展開図である。第１カム筒１２０は、第１レンズ群室１０のカムフォロワピン１０ａが挿入されるカム溝１２１と、直進ガイド筒１３０の円周キー１３０ｂが挿入される円周溝１２２が形成されている。
カム溝１２１は、撮影状態におけるテレ端側とワイド端側との間で用いられる領域１２１ａと、ワイド端と沈胴状態との間で用いられる領域１２１ｂとを備え、これらの領域１２１ａ，１２１ｂは、そのカムの傾斜方向が逆となっている。
円周溝１２２は、光軸Ｉ１方向における像側の端部に設けられ、周方向に延在して形成された溝部であって、直進ガイド筒１３０を第１カム筒１２０に対して光軸Ｉ１回りに相対回転可能に支持するとともに、光軸Ｉ１方向の相対移動を制限するものである。
【００２６】
また、第１カム筒１２０は、図１に示すように、その外周面から突き出して形成され、固定筒１１０の雌ネジ１１１とネジ結合される雄ネジ１２０ａが設けられている。
さらに、第１カム筒１２０は、その外周面における光軸Ｉ１方向像側の端部に、その周方向にわたって形成され、第１カム筒駆動ギア１５５と噛合するギア部１２０ｂが形成されている。
【００２７】
直進ガイド筒１３０は、略円筒状に形成され、その内径側に第１レンズ群室１０が挿入されるとともに、第１カム筒１２０の内径側に挿入される部材であって、第１レンズ群室１０を固定筒１１０に対して光軸Ｉ１方向に直進案内するものである。
直進ガイド筒１３０は、その外周面に、固定筒１１０の直進案内溝１１２に挿入される直進キー１３０ａと、第１カム筒１２０の円周溝１２２に挿入される円周キー１３０ｂとがそれぞれ形成されている。
【００２８】
図８は、直進ガイド筒１３０の内周面を示す展開図である。直進ガイド筒１３０は、光軸Ｉ１方向に延在する長穴状の開口である直進ガイド溝１３１が形成されている。この直進ガイド溝１３１は、第１カム筒１２０のカム溝１２１に挿入される第１レンズ群室１０のカムフォロワピン１０ａの中間部１０ａａが挿入されるものである。
【００２９】
第２カム筒１４０は、光軸Ｉ２と同心に形成された円筒状の部材であって、その内径側に第３レンズ群Ｌ３、第４レンズ群Ｌ４等を収容するものである。第２カム筒１４０は、その撮像部５０及び固定筒１１０に対する光軸Ｉ２回りの相対回転に応じて、第２レンズ群室２０、第３レンズ群室３０を、撮像部５０及び固定筒１１０に対して光軸Ｉ２方向にそれぞれ移動させるものである。
【００３０】
図９は、第２カム筒１４０の内周面を示す展開図である。第２カム筒１４０は、第２レンズ群室２０のカムフォロワピン２０ｃが挿入されるカム溝１４１、第３レンズ群室３０のカムフォロワピン３０ｃが挿入されるカム溝１４２がそれぞれ形成されている。
カム溝１４１は、第２レンズ群室２０の移動に用いられる領域１４１ａ、第２レンズ群室２０を収納状態における位置（以下、「収納位置」と称する）に保持する領域１４１ｂ、第２レンズ群室２０を撮影状態における位置（以下、「撮影位置」と称する）に保持する領域１４１ｃを備えている。
【００３１】
領域１４１ａは、第２カム筒１４０の回転に応じて第２レンズ群室２０が光軸Ｉ２方向に送られるようにカム溝１４１が傾斜して形成された部分であって、第２レンズ群室２０の収納位置と撮影位置との間の移動を行わせるものである。
領域１４１ｂ，１４１ｃは、領域１４１ａの収納位置側、撮影位置側の端部に対してそれぞれ連続して形成され、第２カム筒１４０の周方向に延在している。
【００３２】
ここで、領域１４１ｂは、レンズ鏡筒が収納状態から撮影状態に移行する際に、第２レンズ群室２０が第１レンズ群室１０、第１カム筒１２０等の第１レンズ群Ｌ１に連動して移動する部材と干渉することを防止するため、一時的に光軸Ｉ２方向における移動を停止するように設けられるものである。
また、領域１４１ｃは、撮影状態において、ワイド端側とテレ端側との間で第１レンズ群Ｌ１、第３レンズ群Ｌ３の駆動が行われる際に、第２レンズ群Ｌ２を一定の撮影位置に保持するために設けられるものである。
【００３３】
カム溝１４２は、第３レンズ群室３０の移動に用いられる領域１４２ａ、第３レンズ群室３０を収納位置に保持する領域１４２ｂを備えている。
領域１４２ａは、第２カム筒１４０の回転に応じて第３レンズ群室３０が光軸Ｉ２方向に送られるようにカム溝１４２が傾斜して形成された部分であって、第３レンズ群室３０の収納位置と撮影位置との間に移動及び撮影位置におけるテレ端側とワイド端側の移動を行わせるものである。
【００３４】
領域１４２ｂは、領域１４２ａの収納位置側の端部に対して連続して形成され、第２カム筒１４０の周方向に延在している。
ここで、領域１４２ｂは、第２レンズ群室２０のカムフォロワピン２０ｃがカム溝１４１の領域１４１ｂ内に位置し、その光軸Ｉ２方向の移動が制限されている際に、第３レンズ群室３０の光軸Ｉ２方向の移動を制限してその第２レンズ群室２０との衝突を防止するために設けられるものである。
また、第２カム筒１４０は、図２に示すように、その外周面部に周方向にわたって形成され、第２カム筒駆動ギア１５６によって駆動される傘歯車を有するギア部１４０ａが設けられている。
【００３５】
駆動部１５０は、第１カム筒１２０、第２カム筒１４０をそれぞれ光軸Ｉ１，Ｉ２回りに回転駆動するものであって、モータ１５１、スクリュ１５２、第１減速ギア１５３、第２減速ギア１５４、第１カム筒駆動ギア１５５、第２カム筒駆動ギア１５６を備えている。
モータ１５１は、図２に示すように、第２カム筒１４０の外周面部に対向して、その回転軸を光軸Ｉ２と平行にした状態で配置されている。
スクリュ１５２は、モータ１５１の出力軸に固定されている。
【００３６】
第１減速ギア１５３は、スクリュ１５２の回転を減速して第２減速ギア１５４に伝達するものである。
第１減速ギア１５３は、その回転軸を光軸Ｉ１と平行に配置され、歯数及びピッチ円径（ＰＣＤ）が異なった１対の平歯車をこの回転軸方向に並べて一体に形成したものであって、歯数の大きい側の歯車がスクリュ１５２によって駆動されるとともに、歯数の小さい側の歯車が第２減速ギア１５４を駆動する。
【００３７】
第２減速ギア１５４は、第１減速ギア１５３の回転を減速して第１カム筒駆動ギア１５５及び第２カム筒駆動ギア１５６をそれぞれ駆動するものである。
第２減速ギア１５４は、その回転軸を光軸Ｉ１と平行に配置され、平歯車及び傘歯車をこの回転軸方向に並べて一体に形成したものであって、平歯車が第１減速ギア１５３によって駆動されるとともに、平歯車によって第１カム筒駆動ギア１５５を駆動し、傘歯車によって第２カム筒駆動ギア１５６を駆動する。
【００３８】
第１カム筒駆動ギア１５５は、第２減速ギア１５４の回転を減速して第１カム筒１２０のギア部１２０ｂに伝達することによって第２カム筒１２０を光軸Ｉ１回りに回転駆動するものである。
第１カム筒駆動ギア１５５は、その回転軸を光軸Ｉ１と平行に配置された平歯車であって、第１カム筒１２０が光軸Ｉ１方向に移動した場合であっても噛合を維持するため、その回転軸方向における長さを第１カム筒１２０のギア部１２０ｂよりも長く形成されている。
【００３９】
第２カム筒駆動ギア１５６は、第２減速ギア１５４の回転を減速して第２カム筒１４０のギア部１４０ａを駆動するものである。
第２カム筒駆動ギア１５６は、その回転軸を光軸Ｉ１、光軸Ｉ２とそれぞれ直交する方向に配置された傘歯車である。
【００４０】
図１０は、レンズ鏡筒の焦点距離が最も短いワイド端における撮影状態を示す断面図である。ワイド端においては、図１に示すテレ端側の状態と比較して、第１レンズ群Ｌ１は、光軸Ｉ１方向像側に移動して第２レンズ群Ｌ２と隣接した状態となり、また、第３レンズ群Ｌ３は、光軸Ｉ２方向像側に移動して第４レンズ群Ｌ４と隣接した状態となる。
このようなワイド端とテレ端との間における第１レンズ群Ｌ１及び第３レンズ群Ｌ３の移動は、駆動部１５０によって第１カム筒１２０、第２カム筒１４０を連動させて回転駆動し、それぞれのカム溝１２１，１４２によって第１レンズ群室１０、第３レンズ群室３０を送ることによって行われる。
【００４１】
図１１は、本実施例のレンズ鏡筒の収納状態における断面図である。図１２は、図１１のXII−XII部矢視断面図である。
以下、レンズ鏡筒がワイド端における撮影状態から収納状態に移行する際の動作について説明する。
（１）第４レンズ群室４０は、フォーカシングモータ４１に駆動されることによって、光軸Ｉ２方向像側に移動する。
（２）駆動部１５０によって、第１カム筒１２０及び第２カム筒１４０の回転を開始させる。このとき、最初に第１カム筒１２０のカム溝１２１によって、第１レンズ群室１０が一旦光軸Ｉ１方向像側に繰り出される。
【００４２】
（３）第１カム筒１２０及び第２カム筒１４０が引き続き回転し、第２カム筒１４０のカム溝１４１，１４２によって、第２レンズ群室２０、第３レンズ群室３０がそれぞれ光軸Ｉ２方向像側に移動し、図１１に示すように、第３レンズ群室３０は第４レンズ群室４０に隣接し、第２レンズ群室２０は、第３レンズ群室３０が移動することによって形成された空間部Ａ内に収容される状態となる。このとき、第２レンズ群室２０は、第１レンズ群室１０、第１カム筒１２０、直進ガイド筒１３０を光軸Ｉ１方向から見た投影面から退避した状態となっている。
【００４３】
（４）第１カム筒１２０及び第２カム筒１４０が引き続き回転し、第１カム筒１２０のカム溝１２１によって、第１レンズ群室１０を第１カム筒１２０に対して光軸Ｉ１方向像側に相対移動させるとともに、第１カム筒１２０を固定筒１１０の雌ネジ１１１によって光軸Ｉ１方向像側に移動させる。そして、第１レンズ群室１０は、第１レンズ群Ｌ１の一部が、固定筒１１０の内径側において第２レンズ群室２０が光軸Ｉ２方向に退避して形成された空間部Ｂ内に収容される位置まで移動し、駆動部１５０は、第１カム筒１２０及び第２カム筒１４０の駆動を停止する。
また、レンズ鏡筒が収納状態からワイド端における撮影状態に移行する際は、上述した動作と順序及び方向が反対の動作が行われる。
【００４４】
以上のように、本実施例によれば、以下の効果を奏することができる。
（１）第１レンズ群Ｌ１の一部を、第２レンズ群Ｌ２が光軸Ｉ２方向像側に退避して形成された空間部Ｂ内に収容されるから、屈曲光学系の場合であっても第１レンズ群Ｌ１の沈胴量を大きくすることができ、レンズ鏡筒をコンパクトに収納することができる。
（２）第２レンズ群Ｌ２は、第３レンズ群Ｌ３及び第４レンズ群Ｌ４が光軸Ｉ２方向像側に移動して形成された空間部Ａ内に収容されるから、鏡胴１００を大型化することなく第２レンズ群Ｌ２の退避場所を確保することができ、レンズ鏡筒をよりいっそうコンパクトに収納することができる。
（３）第１レンズ群Ｌ１に連動して移動する第１レンズ群室１０、第１カム筒１２０、直進ガイド筒１４０は、第２レンズ群Ｌ２が移動する際に光軸Ｉ１方向対物側に一時的に繰り出されるから、各部材の像側の端部を大型化した場合であっても第２レンズ群室２０等との干渉を防止でき、これらの端部が奏する遮光効果を確保して、鏡胴部１００内への漏光を防止することができる。
【００４５】
（変形例）
本発明は、以上説明した各実施例に限定されることなく、種々の変形や変更が可能であって、それらも本発明の均等の範囲内である。
（１）実施例は、例えばデジタルスチルカメラのレンズ鏡筒に関するものであったが、これに限らず、本発明は、例えばフィルムカメラ、ムービーカメラのレンズ鏡筒、観察装置、プロジェクタ装置等の他の光学装置にも適用することができる。
（２）実施例においては、屈曲部を含む第２レンズ群が第２の光軸方向に平行移動して退避しているが、これに限らず、屈曲部は第２の光軸方向以外の方向でありかつ第１の光軸から離間する方向へ退避するようにしてもよい。また、退避する際の動作も平行移動に限らず、例えば所定の回転軸回りに回転して退避するようにしてもよい。
【図面の簡単な説明】
【００４６】
【図１】本発明を適用したレンズ鏡筒の実施例のテレ端における撮影状態を示す断面図である。
【図２】図１のII−II部矢視図である。
【図３】図１のIII−III部矢視断面図である。
【図４】図２のIV−IV部矢視断面図である。
【図５】図２のV−V部矢視断面図である。
【図６】図１のレンズ鏡筒の固定筒の内周面を示す展開図である。
【図７】図１のレンズ鏡筒の第１カム筒の内周面を示す展開図である。
【図８】図１のレンズ鏡筒の直進ガイド筒の展開図である。
【図９】図１のレンズ鏡筒の第２カム筒の内周面を示す展開図である。
【図１０】図１のレンズ鏡筒のワイド端における撮影状態を示す断面図である。
【図１１】図１のレンズ鏡筒の収納状態を示す断面図である。
【図１２】図１１のXII−XII部矢視断面図である。
【符号の説明】
【００４７】
Ｌ１  第１レンズ群：  Ｌ２  第２レンズ群：  Ｌ３  第３レンズ群：  Ｌ４  第４レンズ群：  Ｐ  プリズム：  １００  鏡胴部：  １１０  固定筒：  １２０  第１カム筒：  １３０  直進ガイド筒：  １４０  第２カム筒
【図１】
2007034013.tif 000003
【図２】
2007034013.tif 000004
【図３】
2007034013.tif 000005
【図４】
2007034013.tif 000006
【図５】
2007034013.tif 000007
【図６】
2007034013.tif 000008
【図７】
2007034013.tif 000009
【図８】
2007034013.tif 000010
【図９】
2007034013.tif 000011
【図１０】
2007034013.tif 000012
【図１１】
2007034013.tif 000013
【図１２】
2007034013.tif 000014